(57)【要約】【課題】水の出し入れが簡単で、他の携帯物などに掛けて携帯、使用することができるビン、水筒の蓋を提供する。【解決手段】本体と、押し圧手段と、弾性手段と、止水部材とを含んでなり、本体が、容器の上方に設けられて、出水孔と、設置空間とフックとを設けてなり、押し圧手段が、押し圧体を設けてなり、該押し圧体が本体上方に着脱自在に設けられ、弾性手段が、桿体と、第一弾性部材と、第二弾性部材と、を含んでなり、該桿体が本体の設置空間に着脱自在に穿設し、第一弾性部材が押し圧手段の押し圧体及び弾性手段の桿体との間に設けられ、第二弾性部材が本体の設置空間と弾性手段の桿体との間に設けられ、止水部材が、押し圧手段の桿体と組み合わせて接続し、止水部材の一端が本体底端に固定して設けられ、止水部材が本体の出水孔をふさぐ。【選択図】  図１
2010260635.tif 000002
【特許請求の範囲】
【請求項１】
本体と、押し圧手段と、弾性手段と、止水部材とを含んでなり、
該本体が、容器の上方に設けられて、出水孔と、設置空間とフックとを設けてなり、
該押し圧手段が、押し圧体を設けてなり、該押し圧体が本体上方に着脱自在に設けられ、
該弾性手段が、桿体と、第一弾性部材と、第二弾性部材と、を含んでなり、該桿体が本体の設置空間に着脱自在に穿設し、第一弾性部材が押し圧手段の押し圧体及び弾性手段の桿体との間に設けられ、第二弾性部材が本体の設置空間と弾性手段の桿体との間に設けられ、
該止水部材が、押し圧手段の桿体と組み合わせて接続し、止水部材の一端が本体底端に固定して設けられ、止水部材が本体の出水孔をふさぐことを特徴とするビン、水筒の蓋。
【請求項２】
前記設置空間が、チップを設けてなり、第二弾性部材の端縁部に当接することを特徴とする請求項１に記載のビン、水筒の蓋。
【請求項３】
前記設置空間が、内部に階段部を設けてなり、該階段部にはパッドが設けられることを特徴とする請求項１に記載のビン、水筒の蓋。
【請求項４】
前記本体のフックが、フックの開放端に係合フックを設けてなり、押し圧体の一端には係合溝を設けてなり、該係合溝と係合フックとが互いに係合して押し圧体とフックとが閉じられたリング状を形成することを特徴とする請求項１に記載のビン、水筒の蓋。
【請求項５】
前記本体が、底端に複数の接続柱を設けてなり、止水部材が複数の接続孔を設けてなり、該接続柱と接続孔とを接続して止水部材を本体底端に組み合わせて接続することを特徴とする請求項１に記載のビン、水筒の蓋。
【請求項６】
前記押し圧体が、接続桿を接続し、該接続桿を接続座に接続し、接続座が第一弾性部材に接触することを特徴とする請求項１に記載のビン、水筒の蓋。
【請求項７】
前記弾性手段が、桿体の中心に孔を設けてなり、該孔の内部に第一弾性部材が設けられることを特徴とする請求項１に記載のビン、水筒の蓋。
【請求項８】
前記弾性手段が、桿体の上方に突縁部を設けてなり第二弾性部材の端縁部に当接するために供することを特徴とする請求項１に記載のビン、水筒の蓋。
【請求項９】
前記止水部材が、嵌合孔を設けてなり、桿体の下方の接続部を該嵌合孔に嵌合して穿設し、止水部材と桿体とを接続することを特徴とする請求項１に記載のビン、水筒の蓋。
【請求項１０】
前記止水部材が、一側面にシリコンソフトパッドを設けてなり、該シリコンソフトパッドが本体の出水孔をふさぐことを特徴とする請求項１に記載のビン、水筒の蓋。
【請求項１１】
前記第二弾性部材の弾性力が、第一弾性部材の弾性力よりも大きいことを特徴とする請求項１に記載のビン、水筒の蓋。
【発明の詳細な説明】
【技術分野】
【０００１】
この発明は、蓋に関し、特に水などの液体を保存するために使用するビンの蓋に関する。
【背景技術】
【０００２】
人は皆、体内に十分な水分を維持するために毎日適宜な量の水分を摂取しなければならない。
【０００３】
ビン、或いは水筒はいずれも、好きなときにいつでも飲むことができるように液体の飲料、飲料水を充填して使用する。
【０００４】
特に飲用者が外出、或いは山登り、ロッククライミング、スキー、ハイキング、オートバイに乗り遠出など戸外で運動する場合には、ビン、或いは水筒などの容器に水を入れておけば、すぐに飲用できて水分を補給するために便利である。
【０００５】
従来のビン、或いは水筒はほとんどが上方に蓋体を設けて内部の水の出し入れを制御する。
【０００６】
ビン、或いは水筒などの容器は基本的に飲料水を充填する収納空間を内部に形成する以外に、使用者がビン、或いは水筒を使用する場合に少なくとも次の二つの点について考慮する。
【０００７】
一つ目は、内部に充填した水の出し入れをどのように有効に制御してすばやく、簡単に飲料水を飲むかということである。
【０００８】
二つ目は、例えばバックパック、自転車、ベルト、木の枝などに掛けることが便利などのように如何に手で持つことを減らしてビン、水筒の携帯を便利にするかということである。  
【発明の開示】
【発明が解決しようとする課題】
【０００９】
この発明は、水の出し入れが簡単で、他の携帯物などに掛けて携帯、使用することができるビン、水筒の蓋を提供することを課題とする。
【課題を解決するための手段】
【００１０】
そこで、本発明の発明者は従来の技術に見られる欠点に鑑みて鋭意研究を重ねた結果、本体と、押し圧手段と、弾性手段と、止水部材とを含んでなり、
該本体が、容器の上方に設けられて、出水孔と、設置空間とフックとを設けてなり、
該押し圧手段が、押し圧体を設けてなり、該押し圧体が本体上方に着脱自在に設けられ、
該弾性手段が、桿体と、第一弾性部材と、第二弾性部材と、を含んでなり、該桿体が本体の設置空間に着脱自在に穿設し、第一弾性部材が押し圧手段の押し圧体及び弾性手段の桿体との間に設けられ、第二弾性部材が本体の設置空間と弾性手段の桿体との間に設けられ、該止水部材が、押し圧手段の桿体と組み合わせて接続し、止水部材の一端が本体底端に固定して設けられ、止水部材が本体の出水孔をふさぐビン、水筒の蓋の構造によって課題を解決できる点に着眼し、かかる知見に基づいて本考案を完成させた。
【００１１】
以下、この発明について具体的に説明する。
請求項１に記載するビン、水筒の蓋は、本体と、押し圧手段と、弾性手段と、止水部材とを含んでなり、
該本体が、容器の上方に設けられて、出水孔と、設置空間とフックとを設けてなり、
該押し圧手段が、押し圧体を設けてなり、該押し圧体が本体上方に着脱自在に設けられ、
該弾性手段が、桿体と、第一弾性部材と、第二弾性部材と、を含んでなり、該桿体が本体の設置空間に着脱自在に穿設し、第一弾性部材が押し圧手段の押し圧体及び弾性手段の桿体との間に設けられ、第二弾性部材が本体の設置空間と弾性手段の桿体との間に設けられ、
該止水部材が、押し圧手段の桿体と組み合わせて接続し、止水部材の一端が本体底端に固定して設けられ、止水部材が本体の出水孔をふさぐ。
【００１２】
請求項２に記載のビン、水筒の蓋は、請求項１における設置空間が、チップを設けてなり、第二弾性部材の端縁部に当接する。
【００１３】
請求項３に記載のビン、水筒の蓋は、請求項１における設置空間が、内部に階段部を設けてなり、該階段部にはパッドが設けられる。
【００１４】
請求項４に記載のビン、水筒の蓋は、請求項１における本体のフックが、フックの開放端に係合フックを設けてなり、押し圧体の一端には係合溝を設けてなり、該係合溝と係合フックとが互いに係合して押し圧体とフックとが閉じられたリング状を形成する。
【００１５】
請求項５に記載のビン、水筒の蓋は、請求項１における本体が、底端に複数の接続柱を設けてなり、止水部材が複数の接続孔を設けてなり、該接続柱と接続孔とを接続して止水部材を本体底端に組み合わせて接続する。
【００１６】
請求項６に記載のビン、水筒の蓋は、請求項１における押し圧体が、接続桿を接続し、該接続桿を接続座に接続し、接続座が第一弾性部材に接触する。
【００１７】
請求項７に記載のビン、水筒の蓋は、請求項１における弾性手段が、桿体の中心に孔を設けてなり、該孔の内部に第一弾性部材が設けられる。
【００１８】
請求項８に記載のビン、水筒の蓋は、請求項１における弾性手段が、桿体の上方に突縁部を設けてなり第二弾性部材の端縁部に当接するために供する。
【００１９】
請求項９に記載のビン、水筒の蓋は、請求項１における止水部材が、嵌合孔を設けてなり、桿体の下方の接続部を該嵌合孔に嵌合して穿設し、止水部材と桿体とを接続する。
【００２０】
請求項１０に記載のビン、水筒の蓋は、請求項１における止水部材が、一側面にシリコンソフトパッドを設けてなり、該シリコンソフトパッドが本体の出水孔をふさぐ。
【００２１】
請求項１１に記載のビン、水筒の蓋は、請求項１における第二弾性部材の弾性力が、第一弾性部材の弾性力よりも大きい。
【発明の効果】
【００２２】
この発明のビン、水筒の蓋は、簡単にすばやく飲料用水を出し入れでき、携帯に便利であるという効果を有する。
【発明を実施するための最良の形態】
【００２３】
この発明は水の出し入れが簡単で、他の携帯物などに掛けて携帯、使用することができるビン、水筒の蓋であって、本体と、押し圧手段と、弾性手段と、止水部材とを含んでなり、本体が、容器の上方に設けられて、出水孔と、設置空間とフックとを設けてなり、該押し圧手段が、押し圧体を設けてなり、該押し圧体が本体上方に着脱自在に設けられ、該弾性手段が、桿体と、第一弾性部材と、第二弾性部材と、を含んでなり、該桿体が本体の設置空間に着脱自在に穿設し、第一弾性部材が押し圧手段の押し圧体及び弾性手段の桿体との間に設けられ、第二弾性部材が本体の設置空間と弾性手段の桿体との間に設けられ、該止水部材が、押し圧手段の桿体と組み合わせて接続し、止水部材の一端が本体底端に固定して設けられ、止水部材が本体の出水孔をふさぐビン、水筒の蓋
を形成する。
かかるビン、水筒の蓋の構造と特徴を詳述するために具体的な実施例を挙げ、図示を参照にして以下に説明する。
【実施例】
【００２４】
図１から４に開示するように、この発明の蓋は、本体１０と、押し圧するために供する押し圧手段２０と、水の出し入れを制御するために供する弾性手段３０と、弾性手段３０に連動される止水部材４０と、を含んでなる。
【００２５】
使用する場合、押し圧手段２０を押し圧すると、弾性手段３０が連動して二段階に作動する。止水部材４０が押し圧手段２０に深く押し圧されると、内部の水を外部に出す目的を達成することができる。
【００２６】
本体１０は、側面内側に内ネジ溝１１（図２、３参照）を具えてなる。該内ネジ溝１１は、容器９０の上方に設けるために供する（図４参照）。
【００２７】
該本体１０は、表面に出水座１２を設けてなる。該出水座は出水孔１２１を具えてなり、容器９０内部の水が出水孔１２１から外部に出すことができる。
【００２８】
該出水座１２は、上部にＵ字状の突端縁部１２２を設けてなり、押し圧手段２０を組み合わせるために供する。
【００２９】
該本体１０は、設置空間１３を設けてなる。該設置空間は内部に階段部１３１（図３参照）を設けてなる。該設置空間１３は、弾性手段３０を設けるためにきょうする。
【００３０】
該本体１０は、表面の一側面に固定されたフック１４を設けてなる。該フック１４は、開放端にさらに係合フック１４１を設けてなり、該フックは押し圧手段２０に接続することができる。
【００３１】
該本体１０は、底端に複数の接続柱１５を設けてなる。該接続柱１５は止水部材４０に組み合わせることができる。
【００３２】
押し圧手段２０は、押し圧体２１を含んでなる。該押し圧体２１は一端に係合溝２１１を具えてなる。該係合溝２１１は、係合フック１４１と互いに係合するために供し、押し圧体２１と、フック１４とを着脱自在に接続することができる。
【００３３】
該押し圧体２１は、他端に枢軸２１２を穿設して、本体１０の突端縁部１２２に着脱自在に設けられる。
【００３４】
また、該押し圧体２１は、枢軸２１２に隣接して下方に臍軸２１３を穿設して設置空間１３に内設する接続座２３に着脱自在に設ける。
【００３５】
押し圧体２１を下方に押し圧すると、接続桿２２が接続座２３を下方に連動する（図３参照）。
【００３６】
弾性手段３０は、桿体３１と、圧縮バネである第一弾性部材３２と、圧縮バネである第二弾性部材３３と、リング状のチップ３４と、リング状のパッド３５と、を含んでなる。
【００３７】
該桿体３１は、一部が設置空間１３の内部に設けられ、他端縁部が本体１０の下方に突出する。
【００３８】
該桿体３１は、中心に孔３１１を設けてなる。該孔３１１は、第一弾性部材３２を設けるために供し、第一弾性部材３２の一端が突出して接続座２３に組み合わさり接続する。
【００３９】
第一弾性部材３２は押し圧体２１に当接し、押し圧体２１が予め設定された位置に維持され、押し圧体２１が押し圧されていない時、開放端Ａとフック１４が閉じられたリング状を形成する（図３参照）。
【００４０】
該桿体３１は上方端縁部に設けられた突縁部３１２と、下方端縁部に設けられた接続部３１３とを含んでなる。
【００４１】
該突縁部３１２は外周縁部が設置空間１３の内壁と接触するため、桿体３１と設置空間１３の内壁間にわずかな距離が形成され、設置空間１３内と桿体３１の外側に第二弾性部材３３が穿設される。
【００４２】
該設置空間１３の階段部１３１にはチップ３４とパッド３５が設けられているため、第二弾性部材３３の上方が桿体３１の突縁部３１２に当接され、下方がチップに当接される。
【００４３】
よって、第二弾性部材３３が桿体３１を予め設定された位置に維持する。
【００４４】
前述のパッド３５は、桿体３１が本体１０に緊密に穿設されるようにして水が漏れることを防ぐ目的を達成する。また、該チップ３４を設けることにより、第二弾性部材３３が直接、パッド３５上に圧縮されることを防ぎ、パッド３５の目的を確保するとともに、使用寿命を延長する。
【００４５】
上述の第一弾性部材３２、第二弾性部材３３はいずれも、容器９０（図４参照）の飲料用水に接触していないため、飲用者が金属の錆や腐蝕、或いは油などを飲用することを防ぐ目的を達成することができる。
【００４６】
また、第二弾性部材３３の弾性力は、第一弾性部材３２よりも大きいため、押し圧体２１を押し圧して第一段階の作動を執行すると、第一弾性部材３２が圧縮されるだけで、桿体３１は連動せず下降しない。
【００４７】
よって、第一段階の作動では押し圧体２１（図４参照）が開くだけである。
【００４８】
続けてさらに押し圧体２１を深く力を入れて押し圧し、第二段階が作動すると、第二弾性部材３３が圧縮されて桿体３１が連動され、止水部材４０が開かれて出水口が形成される。
【００４９】
該止水部材４０は、略コ状を呈するように形成され、中央に嵌合孔４１が設けられて、桿体３１の下方端縁部の接続部３１３が嵌合孔４１に嵌合して穿設されて、止水部材４０と桿体３１とが接続される。
【００５０】
止水部材４０は一側面に接続板４２が設けられる。該接続板４２は表面に複数の孔４２１を具えてなり、孔４２１と本体の底面の接続柱１５とが接続して固定される。
【００５１】
該止水部材４０は、一側面が本体１０に接続し、もう一方の側面には止水部４３が設けられる。
【００５２】
該止水部４３は、食品に採用される耐熱のシリコンソフトパッド４３１であって、シリコンソフトパッド４３１が出水孔１２１を緊密にふさぐため、水が漏れることを防ぐ目的を達成することができる。
【００５３】
図４、図５に開示するように、使用する場合、押し圧体２１を押し圧して第一段階の作動を執行する。
【００５４】
押し圧体２１の係合溝２１１がフック１４の係合接続位置から外れて、押し圧体２１とフック１４とがもともと形成していたリング状が開放された開口に変形し、使用者が開放された開口を利用して容器９０をバックパック８０上（図６参照）、自転車、木の枝などに掛けることができる。
【００５５】
この発明の実施形態では、開放された開口を利用して容器９０を外径が１０ｍｍよりも小さいどのような軟性、硬性の製品に掛けることができる。
【００５６】
同様に、使用者は容器９０を掛けてある場所から外して使用することも便利である。
【００５７】
この場合には、第一弾性部材３２は押し圧体２１が連動する接続桿２２が下方に押し圧されて弾性の回復力を備えてなる。
【００５８】
桿体３１、第二弾性部材３３がまだ圧縮されていない場合、止水部材４０が止水の状態を維持し、本体１０の出水孔１２１から水が漏れないように確保する目的を達成する。
【００５９】
使用者が続けて押し圧体２１を押し圧せずに開いていると、押し圧力がなくなるため、押し圧体２１が第一弾性部材３２が発生する弾性力により元の位置に戻る。
【００６０】
即ち、押し圧体２１がフック１４と閉じられたリング状を呈する位置に戻り、容器９０が掛けた場所から外れることを防ぐ目的を達成する。
【００６１】
図７、図８に開示するように、押し圧体２１が第一段階の作動を執行し、押し圧体２１が引き続き押し圧されて第二段階の作動を執行すると、第二弾性部材３３が圧縮されて弾性回復力を備えて、接続桿２２、接続座２３が桿体３１を下方に押し圧して桿体３１が下方に移動する。
【００６２】
この場合、止水部材４０は、上方に接続板４２を設けた実施形態の図に開示する右側の側面が固定され、該止水部材４０本体が弾性を具えているため（図８参照）、該固定された接続部を支点として桿体３１が下方向に押し圧されると、止水部材４０のもう一方の側面である実施形態の図に開示する左側の止水部材４３が出水孔１２１から外れて容器９０内の水を外部に注いで飲料用に供することができる（図９参照）。
【００６３】
使用者が引き続き押し圧体２１を押し圧しないで開いていると、押し圧力がなくなるため、押し圧体２１が第一弾性部材３２、第二弾性部材３３とにより発生する弾性力でもとの位置に戻る。
【００６４】
この発明は、押し圧手段、弾性手段、止水部材を設けることにより、二段階式で止水、出水を実施することができ、容器９０を掛ける、取って使用することが便利で、且つ容器内部の水を飲用することにも便利である。
【００６５】
以上は、この発明の好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【図面の簡単な説明】
【００６６】
【図１】この発明のビン、水筒の蓋を示した分解図である。
【図２】この発明のビン、水筒の蓋を示した説明図である。
【図３】この発明のビン、水筒の蓋を組み合わせた後を示した断面図である。
【図４】この発明のビン、水筒の蓋の押し圧体を押し圧して第一段階の作動を執行させた状態を示した説明図である。
【図５】図４に開示する状態を示した説明図である。
【図６】この発明のビン、水筒の蓋をバックパックに掛けた状態を示した説明図である。
【図７】この発明のビン、水筒の蓋の押し圧体を引き続き押し圧して第二段階の作動を執行した状態を示した説明図である。
【図８】図７に開示する状態を示した説明図である。
【図９】この発明のビン、水筒の蓋を作動して容器内の水を飲用する状態を示した説明図である。
【符号の説明】
【００６７】
１０                    本体
１１                    内ネジ溝
１２                    出水座
１２１                  出水孔
１２２                  突端縁部
１３                    設置空間
１３１                  階段部
１４                    フック
１４１                  係合フック
１５                    接続柱
２０                    押し圧手段
２１                    押し圧体
２１１                  係合溝
２１２                  枢軸
２１３                  臍軸
２２                    接続桿
２３                    接続座
３０                    弾性手段
３１                    桿体
３１１                  孔
３１２                  突縁部
３１３                  接続部
３２                    第一弾性部材
３３                    第二弾性部材
３４                    チップ
３５                    パッド
４０                    止水部材
４１                    嵌合孔
４２                    接続板
４２１                  孔
４３                    止水部
４３１                  シリコンソフトパッド
８０                    バックパック
９０                    容器
Ａ                                       開放端
【図１】
2010260635.tif 000003
【図２】
2010260635.tif 000004
【図３】
2010260635.tif 000005
【図４】
2010260635.tif 000006
【図５】
2010260635.tif 000007
【図６】
2010260635.tif 000008
【図７】
2010260635.tif 000009
【図８】
2010260635.tif 000010
【図９】
2010260635.tif 000011